(57)【要約】【課題】光素子とレンズブロックとの間の距離を調整すること。【解決手段】ＰＣＢ１１０は、筐体の下面側カバー１６０に固定され、ＰＤアレイ１１１およびＶＣＳＥＬアレイ１１２の少なくともいずれかを含む光素子が設けられた基板である。レンズブロック１２０は、筐体の内側に設けられ、ファイバケーブル１４０に接続された光コネクタ１３０と光素子とを光学的に結合する。細目ネジ１８０は、上面側カバー１７０に設けられた貫通孔１７１と、レンズブロック１２０に設けられた貫通孔１２６ａと、を通るように設けられ、回転すると上面側カバー１７０とレンズブロック１２０との間の距離を変化させる。【選択図】図１
2019197137.tif 000002
【特許請求の範囲】
【請求項１】
筐体と、
前記筐体の内側のうち前記筐体の第１面に固定され、受光素子および発光素子の少なくともいずれかを含む光素子が設けられた基板と、
前記筐体の内側に設けられ、光伝送路に接続された光コネクタと前記光素子とを光学的に結合するレンズブロックと、
前記筐体の前記第１面とは反対の第２面に設けられた孔と、前記レンズブロックに設けられた孔と、を通るように設けられ、回転すると前記第２面と前記レンズブロックとの間の距離を変化させる雄ネジと、
を備えることを特徴とする光モジュール。
【請求項２】
前記筐体の前記第２面に設けられた孔と、前記レンズブロックに設けられた孔と、のうち一方は、内側に前記雄ネジと嵌まり合うネジ溝が形成されており、
前記筐体の前記第２面に設けられた孔と、前記レンズブロックに設けられた孔と、のうち他方は、内側に前記ネジ溝が形成されておらず、前記雄ネジの軸方向における前記雄ネジに対する相対位置が固定されている、
ことを特徴とする請求項１に記載の光モジュール。
【請求項３】
前記レンズブロックおよび前記基板のうち一方に設けられたガイドピンと、前記レンズブロックおよび前記基板のうち他方に設けられ前記ガイドピンに対応する形状のガイド孔と、が嵌まり合うことにより、前記レンズブロックと前記光素子との間の光の進行方向と直交する方向における前記基板に対する前記レンズブロックの相対位置が固定されることを特徴とする請求項１または２に記載の光モジュール。
【請求項４】
前記光コネクタは、前記光コネクタにおける前記レンズブロックの側の端面から突出して先端が前記レンズブロックに当たる突起と、前記突起の前記端面からの突出量を調整することにより前記光コネクタと前記レンズブロックとの間の距離を変化させる調整部と、を有することを特徴とする請求項１または２に記載の光モジュール。
【発明の詳細な説明】
【技術分野】
【０００１】
本発明は、光モジュールに関する。
【背景技術】
【０００２】
従来、発光素子や受光素子などの光素子と、光伝送路の端部の光コネクタと、をレンズブロックにより光学的に結合する光モジュールが知られている。また、調整ネジの回動量に応じた微調整が可能な可動台上に集光レンズ部を固定し、半導体レーザアレイに対する集光レンズ部の光軸合わせをおこなう技術が知られている（たとえば、下記特許文献１参照。）。
【先行技術文献】
【特許文献】
【０００３】
【特許文献１】特開２００４−２４６１５８号公報
【発明の概要】
【発明が解決しようとする課題】
【０００４】
しかしながら、上述した従来技術では、光モジュールにおいて発光素子や受光素子などの光素子とレンズブロックとの間の距離を調整することができないという問題がある。たとえば、光モジュールを空気中で使用する状況と液体中で使用する状況とでは光素子とレンズとの間の光の伝搬路における屈折率が異なるため、光素子とレンズとの間の距離を調整できないと、状況によっては光損失が大きくなるという問題がある。
【０００５】
１つの側面では、本発明は、光素子とレンズブロックとの間の距離を調整することができる光モジュールを提供することを目的とする。
【課題を解決するための手段】
【０００６】
上述した課題を解決し、目的を達成するため、１つの実施態様では、筐体と、前記筐体の内側のうち前記筐体の第１面に固定され、受光素子および発光素子の少なくともいずれかを含む光素子が設けられた基板と、前記筐体の内側に設けられ、光伝送路に接続された光コネクタと前記光素子とを光学的に結合するレンズブロックと、前記筐体の前記第１面とは反対の第２面に設けられた孔と、前記レンズブロックに設けられた孔と、を通るように設けられ、回転すると前記第２面と前記レンズブロックとの間の距離を変化させる雄ネジと、を備える光モジュールが提案される。
【発明の効果】
【０００７】
本発明の一側面によれば、光素子とレンズブロックとの間の距離を調整することができるという効果を奏する。
【図面の簡単な説明】
【０００８】
【図１】図１は、実施の形態にかかる光モジュールの一例を示す一部透過の側面図である。
【図２】図２は、実施の形態にかかる光モジュールの一例を示す一部透過の上面図である。
【図３】図３は、実施の形態にかかる光モジュールのＰＣＢの一例を示す上面図である。
【図４】図４は、実施の形態にかかる光モジュールのレンズブロックの一例を示す上面図である。
【図５】図５は、実施の形態にかかる光モジュールのレンズブロックおよび光コネクタの一例を示す一部透過の上面図である。
【図６】図６は、実施の形態にかかる光モジュールの光コネクタの一例を示す正面図である。
【図７】図７は、実施の形態にかかる光モジュールの光学系モデルの一例を示す図である。
【図８】図８は、実施の形態にかかる光モジュールの製造工程の一例を示す一部透過の側面図（その１）である。
【図９】図９は、実施の形態にかかる光モジュールの製造工程の一例を示す一部透過の側面図（その２）である。
【図１０】図１０は、実施の形態にかかる光モジュールの製造工程の一例を示す一部透過の側面図（その３）である。
【図１１】図１１は、実施の形態にかかる光モジュールを適用したＱＳＦＰモジュールの一例を示す一部透過の側面図である。
【図１２】図１２は、実施の形態にかかる光モジュールの光伝送環境ごとの光学系の距離の一例を示す図である。
【図１３】図１３は、実施の形態にかかる細目ネジの調整目盛の一例を示す図である。
【図１４】図１４は、実施の形態にかかる光モジュールの光素子レンズ間距離の調整の一例を示す図である。
【図１５】図１５は、実施の形態にかかる光モジュールの光素子レンズ間距離の調整の他の一例を示す図である。
【図１６】図１６は、実施の形態にかかる光モジュールの光コネクタレンズ間距離の調整の一例を示す図である。
【図１７】図１７は、実施の形態にかかる光モジュールの光コネクタレンズ間距離の調整の他の一例を示す図である。
【図１８】図１８は、実施の形態にかかる光モジュールの一部の他の一例を示す一部透過の側面図である。
【発明を実施するための形態】
【０００９】
以下に図面を参照して、本発明にかかる光モジュールの実施の形態を詳細に説明する。
【００１０】
（実施の形態）
（実施の形態にかかる光モジュールの一部）
図１は、実施の形態にかかる光モジュールの一例を示す一部透過の側面図である。図２は、実施の形態にかかる光モジュールの一例を示す一部透過の上面図である。図３は、実施の形態にかかる光モジュールのＰＣＢの一例を示す上面図である。
【００１１】
図４は、実施の形態にかかる光モジュールのレンズブロックの一例を示す上面図である。図５は、実施の形態にかかる光モジュールのレンズブロックおよび光コネクタの一例を示す一部透過の上面図である。図６は、実施の形態にかかる光モジュールの光コネクタの一例を示す正面図である。
【００１２】
図１，図２に示すように、実施の形態にかかる光モジュール１００は、ＰＣＢ１１０と、レンズブロック１２０と、光コネクタ１３０と、ファイバケーブル１４０と、ＭＴクリップ１５０と、を含む。また、光モジュール１００は、下面側カバー１６０と、上面側カバー１７０と、細目ネジ１８０と、を含む。ＰＣＢはＰｒｉｎｔｅｄ  Ｃｉｒｃｕｉｔ  Ｂｏａｒｄ（プリント基板）の略語である。ＭＴはＭｅｃｈａｎｉｃａｌｌｙ  Ｔｒａｎｓｆｅｒａｂｌｅの略語である。なお、図２においてはこれらの構成のうちＰＣＢ１１０、レンズブロック１２０、光コネクタ１３０、ファイバケーブル１４０およびＭＴクリップ１５０を図示している。
【００１３】
ここで、ＰＣＢ１１０の厚さ方向（図１の縦方向）をＺ軸方向とする。また、光コネクタ１３０における光の進行方向（図１の横方向）をＹ軸方向とする。また、Ｚ軸方向およびＹ軸方向と直交する方向（図１の奥行方向）をＸ軸方向とする。
【００１４】
図１〜図３に示すように、ＰＣＢ１１０は、下面側カバー１６０の内側に固定された基板である。ＰＣＢ１１０のおもて面にはＰＤアレイ１１１およびＶＣＳＥＬアレイ１１２が設けられている。ＰＤはＰｈｏｔｏ  Ｄｅｔｅｃｔｏｒの略語である。ＶＣＳＥＬはＶｅｒｔｉｃａｌ  Ｃａｖｉｔｙ  Ｓｕｒｆａｃｅ  Ｅｍｉｔｔｉｎｇ  Ｌａｓｅｒ（垂直共振器面発光レーザ）の略語である。
【００１５】
ＰＤアレイ１１１は、Ｘ軸方向に一次元状に配列された複数のＰＤ（図１〜図３に示す例では８個のＰＤ）を含む受光部である。ＰＤアレイ１１１の各ＰＤは、それぞれレンズブロック１２０から出射した各光を受光する受光素子である。ＶＣＳＥＬアレイ１１２は、Ｘ軸方向に一次元状に配列された複数のＬＤ（図１〜図３に示す例では８個のＬＤ）を含む発光部である。ＶＣＳＥＬアレイ１１２の各ＬＤは、それぞれ光を生成し、生成した各光をレンズブロック１２０へ出射させる発光素子である。
【００１６】
また、ＰＣＢ１１０にはガイド孔１１３，１１４が設けられている。ガイド孔１１３，１１４は、それぞれＰＣＢ１１０の異なる位置に設けられており、Ｚ軸方向にＰＣＢ１１０を貫通する孔である。たとえば、ガイド孔１１３，１１４のそれぞれは円柱形の孔である。ただし、ガイド孔１１３，１１４のそれぞれは、円柱形に限らず、三角柱や四角柱等の多角柱など各種の形状の孔とすることができる。また、ガイド孔１１３，１１４は、ＰＣＢ１１０のおもて面側が開口していれば、ＰＣＢ１１０の裏面までは貫通していなくてもよい。また、ガイド孔の数は、ガイド孔１１３，１１４の２個に限らず、３個以上としてもよいし、三角柱や四角柱等の多角柱の孔であれば１個としてもよい。
【００１７】
図１，図２，図４に示すように、レンズブロック１２０は、ＰＤアレイ１１１およびＶＣＳＥＬアレイ１１２と光コネクタ１３０とを光学的に結合する光学系である。すなわち、レンズブロック１２０は、光コネクタ１３０からＹ軸方向に出射した各光をＰＤアレイ１１１へＺ軸方向で出射し、ＶＣＳＥＬアレイ１１２からＺ軸方向で出射した各光を光コネクタ１３０へＹ軸方向に出射する。レンズブロック１２０は、一例としてはポリイミド系の透明な樹脂によって形成される。ただし、レンズブロック１２０はこれに限らず、たとえばガラスなどの透明な各種の材料によって形成することができる。
【００１８】
たとえば、レンズブロック１２０は、開口部１２１と、レンズ部アレイ１２２ａ〜１２２ｄと、反射部１２３ａ，１２３ｂと、ガイドピン１２４，１２５と、天井部１２６と、孔１２７ａ，１２７ｂと、を有する。開口部１２１は、Ｙ軸方向に向けて開口している。開口部１２１には光コネクタ１３０の先端が格納される。
【００１９】
レンズ部アレイ１２２ａは、Ｘ軸方向に一次元状に配列された複数のレンズ部（図１，図２，図４に示す例では８個のレンズ部）である。レンズ部アレイ１２２ａの各レンズ部は、それぞれ光コネクタ１３０から拡散して出射した各光をコリメートし、コリメートした各光を反射部１２３ａへ出射する。レンズ部アレイ１２２ｂは、Ｘ軸方向に一次元状に配列された複数のレンズ部（図１，図２，図４に示す例では８個のレンズ部）である。レンズ部アレイ１２２ｂの各レンズ部は、それぞれ反射部１２３ａから出射した各光を集光してＰＤアレイ１１１へ出射する。
【００２０】
レンズ部アレイ１２２ｃは、Ｘ軸方向に一次元状に配列された複数のレンズ部（図１，図２，図４に示す例では８個のレンズ部）である。レンズ部アレイ１２２ｃの各レンズ部は、それぞれＶＣＳＥＬアレイ１１２から拡散して出射した各光をコリメートし、コリメートした各光を反射部１２３ｂへ出射する。レンズ部アレイ１２２ｄは、Ｘ軸方向に一次元状に配列された複数のレンズ部（図１，図２，図４に示す例では８個のレンズ部）である。レンズ部アレイ１２２ｄの各レンズ部は、反射部１２３ｂから出射した各光を集光して光コネクタ１３０へ出射する。
【００２１】
反射部１２３ａは、レンズ部アレイ１２２ａから出射した各光を９０度の角度で反射させてレンズ部アレイ１２２ｂへ出射する。反射部１２３ｂは、レンズ部アレイ１２２ｃから出射した各光を９０度の角度で反射させてレンズ部アレイ１２２ｄへ出射する。反射部１２３ａ，１２３ｂは、たとえばレンズブロック１２０に設けられた空間１２０ａにより実現される。すなわち、レンズブロック１２０と空間１２０ａとの屈折率が異なることにより、レンズブロック１２０と空間１２０ａとの間の境界面が反射部１２３ａ，１２３ｂとなる。
【００２２】
ガイドピン１２４，１２５は、それぞれガイド孔１１３，１１４に対応する形状の突起であり、それぞれガイド孔１１３，１１４に挿入される。ガイドピン１２４，１２５をそれぞれガイド孔１１３，１１４に挿入することにより、ＰＣＢ１１０に対するレンズブロック１２０のＸＹ平面上の相対位置が固定される。また、ガイドピン１２４，１２５はそれぞれガイド孔１１３，１１４に対してＺ軸方向には固定されないことにより、Ｚ軸方向の相対位置が可変である。
【００２３】
天井部１２６は、レンズブロック１２０における空間１２０ａの上部の部分であり、貫通孔１２６ａを有する。貫通孔１２６ａは、天井部１２６をＺ軸方向に貫通する孔である。たとえば、貫通孔１２６ａは、細目ネジ１８０の直径以上、かつＥリング１８１，１８２の直径未満の直径を有する円形の孔である。
【００２４】
孔１２７ａ，１２７ｂは、レンズブロック１２０の開口部１２１の底面に設けられたＹ軸方向の孔である。たとえば、孔１２７ａ，１２７ｂは、レンズブロック１２０の開口部１２１の底面から空間１２０ａまで貫通している。孔１２７ａ，１２７ｂにおける光コネクタ１３０の側の各開口部には、それぞれ後述の光コネクタ１３０のピン１３２ａ，１３２ｂの各先端が挿入される。
【００２５】
図１，図２，図５，図６に示すように、光コネクタ１３０は、ファイバケーブル１４０の一端に設けられたコネクタである。光コネクタ１３０をレンズブロック１２０の開口部１２１に格納することにより、ファイバケーブル１４０をレンズブロック１２０に光学的に結合することができる。また、光コネクタ１３０は、先端がファイバケーブル１４０の開口部に格納された状態でＭＴクリップ１５０により固定される。たとえば、光コネクタ１３０は、ＭＴクリップ１５０により、レンズブロック１２０の開口部１２１の底面側（図１の左側）へ付勢された状態で固定されている。
【００２６】
光コネクタ１３０は、光導波路アレイ１３１ａ，１３１ｂと、ピン１３２ａ，１３２ｂと、調整ハンドル１３３ａ，１３３ｂと、を有する。光導波路アレイ１３１ａは、ファイバケーブル１４０を通過した各光をレンズブロック１２０のレンズ部アレイ１２２ａへ出射させる。光導波路アレイ１３１ｂは、レンズブロック１２０のレンズ部アレイ１２２ｄから出射した各光をファイバケーブル１４０へ出射させる。
【００２７】
ピン１３２ａ，１３２ｂのそれぞれは、先端が、光コネクタ１３０におけるレンズブロック１２０の側（図１の左側）の端面からレンズブロック１２０に向かって突出している。また、ピン１３２ａ，１３２ｂは、先端に近いほど経が小さくなるテーパ形状である。ピン１３２ａ，１３２ｂの先端をそれぞれレンズブロック１２０の孔１２７ａ，１２７ｂに挿入することで、レンズ部アレイ１２２ａ，１２２ｄと、光導波路アレイ１３１ａ，１３１ｂの端部と、の間のＸＺ平面上の位置合わせをすることができる。
【００２８】
また、ピン１３２ａ，１３２ｂの先端を除く部分は雄ネジになっており、光コネクタ１３０の本体のうちピン１３２ａ，１３２ｂを格納する領域にはピン１３２ａ，１３２ｂに対応するネジ溝が設けられている。したがって、ピン１３２ａ，１３２ｂのそれぞれは、Ｙ軸方向の軸を中心に回転することにより、Ｙ軸方向における光コネクタ１３０の本体に対する相対位置が変化する。
【００２９】
調整ハンドル１３３ａ，１３３ｂは、光コネクタ１３０の端面からのピン１３２ａ，１３２ｂの突出量を調整することにより光コネクタ１３０とレンズブロック１２０との間の距離を変化させる調整部である。たとえば、調整ハンドル１３３ａ，１３３ｂのそれぞれは、Ｙ軸方向を中心として回転可能である。
【００３０】
調整ハンドル１３３ａを回転させると、ピン１３２ａがＹ軸方向の軸を中心に回転し、ピン１３２ａのレンズブロック１２０の側への突出量が変化する。同様に、調整ハンドル１３３ｂを回転させると、ピン１３２ｂがＹ軸方向の軸を中心に回転し、ピン１３２ｂのレンズブロック１２０の側への突出量が変化する。
【００３１】
ピン１３２ａ，１３２ｂの突出量が多くなると、レンズブロック１２０のレンズ部アレイ１２２ａ，１２２ｄと、光コネクタ１３０の光導波路アレイ１３１ａ，１３１ｂの端部と、の間のＹ軸方向の距離が長くなる。また、上述のようにＭＴクリップ１５０により光コネクタ１３０がレンズブロック１２０の側に付勢されている。このため、ピン１３２ａ，１３２ｂの突出量が少なくなると、レンズブロック１２０のレンズ部アレイ１２２ａ，１２２ｄと、光コネクタ１３０の光導波路アレイ１３１ａ，１３１ｂの端部と、の間のＹ軸方向の距離が短くなる。
【００３２】
すなわち、調整ハンドル１３３ａ，１３３ｂを回転させることにより、レンズブロック１２０のレンズ部アレイ１２２ａ，１２２ｄと、光コネクタ１３０の光導波路アレイ１３１ａ，１３１ｂの端部と、の間のＹ軸方向の距離を調整することができる。以下、レンズブロック１２０のレンズ部アレイ１２２ａ，１２２ｄと、光コネクタ１３０の光導波路アレイ１３１ａ，１３１ｂの端部と、の間のＹ軸方向の距離を「光コネクタレンズ間距離」と称する。この光コネクタレンズ間距離の調整方向は調整ハンドル１３３ａ，１３３ｂの回転方向に応じて決まる。
【００３３】
図１，図２に示すように、ファイバケーブル１４０は、光モジュール１００の対向装置から送信された各光を通過させて光コネクタ１３０へ出射させる光伝送路である。また、ファイバケーブル１４０は、光コネクタ１３０から出射した各光を光モジュール１００の対向装置へ向けて出射させる。ＭＴクリップ１５０は、上述のように、光コネクタ１３０をレンズブロック１２０の開口部１２１に格納された状態で固定する器具である。
【００３４】
図１に示すように、下面側カバー１６０は、光モジュール１００の下面側（図１の下側）のカバーである。上面側カバー１７０は、下面側カバー１６０の反対側のカバー、すなわち光モジュール１００の上面側（図１の上側）のカバーである。また、上面側カバー１７０は、下面側カバー１６０に対して固定されている。
【００３５】
下面側カバー１６０および上面側カバー１７０により光モジュール１００の筐体が実現される。下面側カバー１６０および上面側カバー１７０は、たとえば金属や樹脂などにより実現することができる。また、上面側カバー１７０は貫通孔１７１を有する。貫通孔１７１は、上面側カバー１７０をＺ軸方向に貫通し、後述の細目ネジ１８０のネジ溝に対応するネジ溝を内側に有する。
【００３６】
図１に示すように、細目ネジ１８０は、上面側カバー１７０の貫通孔１７１と、レンズブロック１２０の天井部１２６の貫通孔１２６ａと、を通る（貫通する）ように設けられている。すなわち、細目ネジ１８０は、貫通孔１２６ａ，１７１の両方に挿されている。また、細目ネジ１８０は、貫通孔１７１の内側のネジ溝に対応するネジ溝を外表面に有する雄ネジである。この細目ネジ１８０のネジ溝と貫通孔１７１のネジ溝とが噛み合うことで、Ｚ軸方向を中心に細目ネジ１８０を回転させると、上面側カバー１７０に対する細目ネジ１８０の相対位置がＺ軸方向に変化する。
【００３７】
また、細目ネジ１８０の側面には、Ｚ軸方向の異なる位置にＸＹ平面と平行な２箇所の溝が形成されており、この２箇所の溝にそれぞれＸＹ平面と平行なＥリング１８１，１８２が設けられている。Ｅリング１８１，１８２は、天井部１２６の貫通孔１２６ａより直径が大きい止め輪であり、天井部１２６のうち貫通孔１２６ａの周辺をＺ軸方向に挟んでいる。このため、細目ネジ１８０は、レンズブロック１２０に対するＺ軸方向の相対位置が固定されている。一方、細目ネジ１８０は、直径が貫通孔１２６ａの直径以下であることにより、貫通孔１２６ａに対してＺ軸方向を中心として自由に回転可能である。
【００３８】
すなわち、Ｚ軸方向を中心に細目ネジ１８０を回転させると、Ｚ軸方向において、上面側カバー１７０に対する細目ネジ１８０の相対位置が変化するが、レンズブロック１２０に対する細目ネジ１８０の相対位置は変化しない。これにより、上面側カバー１７０に対するレンズブロック１２０のＺ軸方向の相対位置を変化させることができる。
【００３９】
また、上述のように上面側カバー１７０は下面側カバー１６０に対して固定されており、ＰＣＢ１１０は下面側カバー１６０に対して固定されている。また、上述のようにレンズブロック１２０はＰＣＢ１１０に対するＺ軸方向の相対位置が可変である。
【００４０】
したがって、Ｚ軸方向を中心に細目ネジ１８０を回転させると、ＰＣＢ１１０とレンズブロック１２０との間のＺ軸方向の相対位置を調整することができる。これにより、ＰＤアレイ１１１とレンズ部アレイ１２２ｂとの間の距離や、ＶＣＳＥＬアレイ１１２とレンズ部アレイ１２２ｃとの間の距離を調整することができる。以下、ＰＤアレイ１１１およびＶＣＳＥＬアレイ１１２と、レンズブロック１２０のレンズ部アレイ１２２ｂ，１２２ｃと、の間のＺ軸方向の距離を「光素子レンズ間距離」と称する。
【００４１】
一例として、ＶＣＳＥＬアレイ１１２とレンズ部アレイ１２２ｃとの間の距離を１００［μｍ］単位で調整できるように、細目ネジ１８０には、ネジ溝のピッチが０．２［ｍｍ］であるＭ２の細目ネジを使用することができる。ただし、細目ネジ１８０はこれに限らず、各種のネジを用いることができる。
【００４２】
光モジュール１００の各部の寸法の一例について説明する。図１に示すように、下面側カバー１６０の裏面と上面側カバー１７０のおもて面との間の距離Ｈ１は、たとえば８．５［ｍｍ］とすることができる。ＰＣＢ１１０のおもて面とレンズブロック１２０の上面との間の距離Ｈ２は、たとえば５．３［ｍｍ］とすることができる。レンズブロック１２０のレンズ部アレイ１２２ｂ，１２２ｃを除く部分の下面とレンズブロック１２０の上面との間の距離Ｈ３は、たとえば４．０［ｍｍ］とすることができる。
【００４３】
また、図１，図４，図５に示すように、レンズブロック１２０のＹ軸方向の長さＬ１は、たとえば６．０［ｍｍ］とすることができる。また、図４に示すように、レンズブロック１２０のＸ軸方向の長さＷ１は、たとえば８．０［ｍｍ］とすることができる。また、図５に示すように、レンズブロック１２０に光コネクタ１３０が格納された状態のレンズブロック１２０と光コネクタ１３０を合わせた構造体のＹ軸方向の長さＬ２は、たとえば１２．０［ｍｍ］とすることができる。
【００４４】
（実施の形態にかかる光モジュールの光学系モデル）
図７は、実施の形態にかかる光モジュールの光学系モデルの一例を示す図である。図７において、図１〜図６に示した部分と同様の部分については同一の符号を付して説明を省略する。図７に示す光学系モデル７００は、光モジュール１００の受光側の光学系モデルである。光学系モデル７００は、ＰＤアレイ１１１と、レンズブロック１２０と、光コネクタ１３０と、を備える。
【００４５】
光コネクタレンズ間距離７０１は、光コネクタ１３０（の光導波路アレイ１３１ａ）の端部と、レンズブロック１２０のレンズ部アレイ１２２ａと、の間の距離である。上述の調整ハンドル１３３ａ，１３３ｂを回転させることにより、この光コネクタレンズ間距離７０１を調整することができる。光素子レンズ間距離７０２は、ＰＤアレイ１１１とレンズブロック１２０のレンズ部アレイ１２２ｂとの間の距離である。上述の細目ネジ１８０を回転させることにより、この光素子レンズ間距離７０２を調整することができる。
【００４６】
上述のように、レンズ部アレイ１２２ａは、光コネクタ１３０から出射した光をコリメートする。また、レンズ部アレイ１２２ｂは、レンズブロック１２０を通過した光をＰＤアレイ１１１に集光する。したがって、レンズ部アレイ１２２ｂによる集光位置（焦点）にＰＤアレイ１１１の受光面が位置するように光コネクタレンズ間距離７０１および光素子レンズ間距離７０２を調整することにより、ＰＤアレイ１１１における受光効率を向上させることができる。
【００４７】
光モジュール１００における受光側の光学系モデル７００について説明したが、光モジュール１００における発光側の光学系モデル、すなわちＶＣＳＥＬアレイ１１２、レンズ部アレイ１２２ｃ，１２２ｄおよび光コネクタ１３０についても同様である。
【００４８】
（実施の形態にかかる光モジュールの製造工程）
図８〜図１０は、実施の形態にかかる光モジュールの製造工程の一例を示す一部透過の側面図である。図８〜図１０において、図１〜図６に示した部分と同様の部分については同一の符号を付して説明を省略する。まず、図８に示すように、レンズブロック１２０の開口部１２１に光コネクタ１３０を差し込み、レンズブロック１２０と光コネクタ１３０とをＭＴクリップ１５０により固定する。
【００４９】
つぎに、図９に示すように、上面側カバー１７０の貫通孔１７１およびレンズブロック１２０の天井部１２６の貫通孔１２６ａに細目ネジ１８０を挿入する。このとき、Ｚ軸方向において、上述した細目ネジ１８０の２箇所の溝の間に天井部１２６が位置するように調整する。つぎに、細目ネジ１８０の２箇所の溝にそれぞれＥリング１８１，１８２を設けることにより、天井部１２６のうち貫通孔１２６ａの周辺をＺ軸方向にＥリング１８１，１８２で挟む。
【００５０】
つぎに、図１０に示すように、ＸＹ平面上において、ＰＣＢ１１０のガイド孔１１３，１１４に対してそれぞれレンズブロック１２０のガイドピン１２４，１２５を位置合わせする。そして、ＰＣＢ１１０のガイド孔１１３，１１４に対してそれぞれレンズブロック１２０のガイドピン１２４，１２５を挿入し、下面側カバー１６０と上面側カバー１７０とをネジ締め等により固定する。これにより、図１〜図６に示した光モジュール１００を製造することができる。その後、調整ハンドル１３３ａ，１３３ｂおよび細目ネジ１８０を操作することにより、上述の光コネクタレンズ間距離および光素子レンズ間距離の調整をおこなうことができる。
【００５１】
（実施の形態にかかる光モジュールを適用したＱＳＦＰモジュール）
図１１は、実施の形態にかかる光モジュールを適用したＱＳＦＰモジュールの一例を示す一部透過の側面図である。図１１において、図１〜図６に示した部分と同様の部分については同一の符号を付して説明を省略する。図１１に示すＱＳＦＰモジュール１１００は、上述の光モジュール１００を適用したＱＳＦＰモジュールである。ＱＳＦＰはＱｕａｄ  Ｓｍａｌｌ  Ｆｏｒｍ−ｆａｃｔｏｒ  Ｐｌｕｇｇａｂｌｅの略語である。
【００５２】
ＱＳＦＰモジュール１１００は、図１〜図６に示した光モジュール１００の各構成と、端子１１１１と、緩衝材１１１２と、モールド１１１３と、タグ１１１４と、を備える。端子１１１１は、ＰＣＢ１１０の回路を他の電子機器に接続するための端子である。
【００５３】
緩衝材１１１２およびモールド１１１３は、ファイバケーブル１４０を下面側カバー１６０および上面側カバー１７０の間に固定して保持する。タグ１１１４は、ＱＳＦＰモジュール１１００と他の電子機器との接続のロックを操作する操作部である。タグ１１１４によりロックを外すことによりＱＳＦＰモジュール１１００を他の電子機器から取り外すことができる。
【００５４】
ＱＳＦＰモジュール１１００において、細目ネジ１８０は、ＱＳＦＰモジュール１１００の上面側カバー１７０から露出している。また、調整ハンドル１３３ａ，１３３ｂは、それぞれＱＳＦＰモジュール１１００の図示しない両側面から露出している。したがって、ＱＳＦＰモジュール１１００の組み立て後に、細目ネジ１８０および調整ハンドル１３３ａ，１３３ｂを操作して上述の光コネクタレンズ間距離および光素子レンズ間距離の調整をおこなうことができる。
【００５５】
ＱＳＦＰモジュール１１００の各部の寸法の一例について説明する。ＱＳＦＰモジュール１１００のうちタグ１１１４を除く部分のＹ軸方向の長さＬ３は、たとえば７３［ｍｍ］とすることができる。また、ＱＳＦＰモジュール１１００のうち下面側カバー１６０の裏面と上面側カバー１７０のおもて面との間の距離Ｈ１は、図１に示した光モジュール１００と同様にたとえば８．５［ｍｍ］とすることができる。
【００５６】
ただし、ＱＳＦＰモジュール１１００の構成や寸法は図１１に示した例に限らず各種の変更が可能である。また、光モジュール１００は、ＱＳＦＰモジュール１１００に限らず、各種の光モジュールに適用することができる。
【００５７】
（実施の形態にかかる光モジュールの光伝送環境ごとの光学系の距離）
図１２は、実施の形態にかかる光モジュールの光伝送環境ごとの光学系の距離の一例を示す図である。光モジュール１００は、たとえば図１２に示すテーブル１２００に従って調整することができる。テーブル１２００は、光モジュール１００が設置され光モジュール１００が光伝送をおこなう環境（光伝送環境）ごとに、屈折率と、光損失が最も小さくなる光素子レンズ間距離および光コネクタレンズ間距離の組み合わせと、を示している。
【００５８】
たとえば、光伝送環境が空気である場合は、ＰＤアレイ１１１およびＶＣＳＥＬアレイ１１２とレンズ部アレイ１２２ｂ，１２２ｃとの間や、光コネクタ１３０とレンズ部アレイ１２２ａ，１２２ｄとの間の屈折率は１．００である。この場合に、テーブル１２００に示すように、光素子レンズ間距離を３４０［μｍ］とし、光コネクタレンズ間距離を３５０［μｍ］とすることにより、光損失が最も小さくなる。
【００５９】
また、光伝送環境がフロリナートなどの液体である場合は、ＰＤアレイ１１１およびＶＣＳＥＬアレイ１１２とレンズ部アレイ１２２ｂ，１２２ｃとの間や、光コネクタ１３０とレンズ部アレイ１２２ａ，１２２ｄとの間の屈折率は１．２８である。この場合に、光素子レンズ間距離を２４０［μｍ］とし、光コネクタレンズ間距離を２５０［μｍ］とすることにより、光損失が最も小さくなる。
【００６０】
すなわち、フロリナートなどの液体は空気より屈折率が高いため、光モジュール１００の光伝送環境がフロリナートなどの液体である場合は、光モジュール１００の光伝送環境が空気である場合よりも、光損失が最も小さくなる光学系の各距離が短くなる。図１２に示す例では、光伝送環境がフロリナートなどの液体である場合は、光伝送環境が空気である場合よりも、光損失が最も小さくなる光素子レンズ間距離および光コネクタレンズ間距離がそれぞれ１００［μｍ］短くなる。
【００６１】
（実施の形態にかかる細目ネジの調整目盛）
図１３は、実施の形態にかかる細目ネジの調整目盛の一例を示す図である。光モジュール１００の上面側カバー１７０の上面（おもて面）のうち細目ネジ１８０の周囲には、たとえば調整目盛１３１１，１３１２が表記されている。また、細目ネジ１８０の上面には、細目ネジ１８０の上面の中心とは異なる位置にマーク１３２０が表記されている。たとえば、初期状態において、図１３に示すように、マーク１３２０が調整目盛１３１１，１３１２の“０”を指しているとする。
【００６２】
調整目盛１３１１は、レンズブロック１２０を上面側カバー１７０に近づけて光素子レンズ間距離を長くする（Ｕｐ）ための細目ネジ１８０の回転方向および回転量を示している。調整目盛１３１２は、レンズブロック１２０を上面側カバー１７０から離して光素子レンズ間距離を短くする（Ｄｏｗｎ）ための細目ネジ１８０の回転方向および回転量を示している。
【００６３】
たとえば、調整目盛１３１１は、上面側からみて細目ネジ１８０を反時計回りに９０度回転させるごとに、光素子レンズ間距離が５０［μｍ］ずつ増加することを示している。調整目盛１３１２は、上面側からみて細目ネジ１８０を時計回りに９０度回転させるごとに、光素子レンズ間距離が５０［μｍ］ずつ減少することを示している。
【００６４】
（実施の形態にかかる光モジュールの光素子レンズ間距離の調整）
図１４は、実施の形態にかかる光モジュールの光素子レンズ間距離の調整の一例を示す図である。図１４において、図１に示した部分と同様の部分については同一の符号を付して説明を省略する。図１４に示す光素子レンズ間距離１４０１は、ＰＤアレイ１１１およびＶＣＳＥＬアレイ１１２と、レンズブロック１２０のレンズ部アレイ１２２ｂ，１２２ｃと、の間のＺ軸方向の距離である。
【００６５】
初期状態において、図１３に示したマーク１３２０が調整目盛１３１１，１３１２の“０”を指しており、このときの光素子レンズ間距離１４０１は２９０［μｍ］であるとする。そして、光モジュール１００の光伝送環境が空気であるとする。
【００６６】
光伝送環境が空気である場合の最適な光素子レンズ間距離１４０１は３４０［μｍ］であるため（図１２参照）、調整者は、上面側からみて細目ネジ１８０を反時計回りに９０度回転させる。これにより、レンズブロック１２０が上面側カバー１７０に近づき、光素子レンズ間距離１４０１が５０［μｍ］増加するため（図１３参照）、光素子レンズ間距離１４０１を３４０［μｍ］とすることができる。
【００６７】
図１５は、実施の形態にかかる光モジュールの光素子レンズ間距離の調整の他の一例を示す図である。図１５において、図１，図１４に示した部分と同様の部分については同一の符号を付して説明を省略する。初期状態において、図１３に示したマーク１３２０が調整目盛１３１１，１３１２の“０”を指しており、このときの光素子レンズ間距離１４０１は２９０［μｍ］であるとする。そして、図１５に示すように、光モジュール１００がフロリナートなどの冷却用の液体１５０１に浸かっている、すなわち光モジュール１００の光伝送環境が液体であるとする。
【００６８】
光伝送環境が液体である場合の最適な光素子レンズ間距離１４０１は２４０［μｍ］であるため（図１２参照）、調整者は、上面側からみて細目ネジ１８０を時計回りに９０度回転させる。これにより、レンズブロック１２０が上面側カバー１７０から離れ、光素子レンズ間距離１４０１が５０［μｍ］減少するため（図１３参照）、光素子レンズ間距離１４０１を２４０［μｍ］とすることができる。
【００６９】
（実施の形態にかかる光モジュールの光コネクタレンズ間距離の調整）
図１６は、実施の形態にかかる光モジュールの光コネクタレンズ間距離の調整の一例を示す図である。図１６において、図５に示した部分と同様の部分については同一の符号を付して説明を省略する。図１６に示す光コネクタレンズ間距離１６０１は、レンズブロック１２０のレンズ部アレイ１２２ａ，１２２ｄと、光コネクタ１３０の光導波路アレイ１３１ａ，１３１ｂの端部と、の間のＹ軸方向の距離である。初期状態において、光コネクタレンズ間距離１６０１は３００［μｍ］であるとする。そして、光モジュール１００の光伝送環境が空気であるとする。
【００７０】
光伝送環境が空気である場合の最適な光コネクタレンズ間距離１６０１は３５０［μｍ］であるため（図１２参照）、調整者は、調整ハンドル１３３ａ，１３３ｂを回転させることによりピン１３２ａ，１３２ｂの突出量を増加させる。これにより、光コネクタレンズ間距離１６０１を５０［μｍ］増加させ、光コネクタレンズ間距離１６０１を３５０［μｍ］とすることが可能になる。
【００７１】
図１７は、実施の形態にかかる光モジュールの光コネクタレンズ間距離の調整の他の一例を示す図である。図１７において、図５，図１６に示した部分と同様の部分については同一の符号を付して説明を省略する。初期状態において、光コネクタレンズ間距離１６０１は３００［μｍ］であるとする。そして、光モジュール１００の光伝送環境が液体１５０１であるとする。液体１５０１は、光モジュール１００を冷却するためのフロリナートなどの液体である。すなわち、液体１５０１に光モジュール１００を浸けた状態で光モジュール１００を使用することにより、ＰＤアレイ１１１やＶＣＳＥＬアレイ１１２などの発熱による高温化を抑制することができる。
【００７２】
光伝送環境が液体１５０１である場合の最適な光コネクタレンズ間距離１６０１は２５０［μｍ］であるため（図１２参照）、調整者は、調整ハンドル１３３ａ，１３３ｂを回転させることによりピン１３２ａ，１３２ｂの突出量を減少させる。これにより、光コネクタレンズ間距離１６０１を５０［μｍ］減少させ、光コネクタレンズ間距離１６０１を２５０［μｍ］とすることが可能になる。
【００７３】
すなわち、調整者は、光モジュール１００の光伝送環境が空気である場合は図１４，図１６に示した調整をおこない、光モジュール１００の光伝送環境が液体１５０１である場合は図１５，図１７に示した調整をおこなう。これにより、光素子レンズ間距離１４０１および光コネクタレンズ間距離１６０１を光モジュール１００の光伝送環境に応じて調整し、光損失を低減することができる。
【００７４】
（実施の形態にかかる光モジュールの一部の他の例）
図１８は、実施の形態にかかる光モジュールの一部の他の一例を示す一部透過の側面図である。図１８において、図１に示した部分と同様の部分については同一の符号を付して説明を省略する。図１８に示すように、上面側カバー１７０の貫通孔１７１には細目ネジ１８０と嵌まり合うネジ溝を設けずに、レンズブロック１２０の貫通孔１２６ａには細目ネジ１８０と嵌まり合うネジ溝を設ける構成としてもよい。
【００７５】
この場合は、Ｅリング１８１，１８２により、上面側カバー１７０の貫通孔１７１の周辺をＺ軸方向に挟む構成とする。これにより、細目ネジ１８０は、上面側カバー１７０に対するＺ軸方向の相対位置が固定されている。一方、細目ネジ１８０は、レンズブロック１２０に対してＺ軸方向を中心として自由に回転可能である。
【００７６】
すなわち、Ｚ軸方向を中心に細目ネジ１８０を回転させると、Ｚ軸方向において、レンズブロック１２０に対する細目ネジ１８０の相対位置が変化するが、上面側カバー１７０に対する細目ネジ１８０の相対位置は変化しない。これにより、上述の構成と同様に、光素子レンズ間距離を調整することができる。
【００７７】
このように、実施の形態にかかる光モジュール１００は、筐体の上面側カバー１７０に設けられた貫通孔１７１と、レンズブロック１２０に設けられた貫通孔１２６ａと、を通るように設けられた細目ネジ１８０を備える。そして、細目ネジ１８０は、回転すると、上面側カバー１７０とレンズブロック１２０との間の距離を変化させる。
【００７８】
これにより、筐体の下面側カバー１６０に固定されたＰＣＢ１１０の光素子（ＰＤアレイ１１１やＶＣＳＥＬアレイ１１２）とレンズブロック１２０との間の距離を調整することができる。このため、光モジュール１００を使用する環境の屈折率に応じて、光素子とレンズブロック１２０との間の距離を調整し、光損失を低減することができる。また、製造時のバラツキによる光素子とレンズブロック１２０との間の距離のバラツキを補正することができる。
【００７９】
たとえば、貫通孔１７１，１２６ａのうち一方は、内側に細目ネジ１８０と嵌まり合うネジ溝が形成されている。また、貫通孔１７１，１２６ａのうち他方は、内側に細目ネジ１８０と嵌まり合うネジ溝が形成されておらず、細目ネジ１８０の軸方向（Ｚ軸方向）における細目ネジ１８０に対する相対位置がＥリング１８１，１８２（止め輪）等により固定されている。これにより、細目ネジ１８０が回転すると、上面側カバー１７０とレンズブロック１２０との間の距離を変化させることができる。
【００８０】
また、光モジュール１００は、レンズブロック１２０に設けられたガイドピン１２４，１２５と、ＰＣＢ１１０に設けられガイドピン１２４，１２５に対応する形状のガイド孔１１３，１１４と、を有する。ガイドピン１２４，１２５とガイド孔１１３，１１４が嵌まり合うことにより、レンズブロック１２０と光素子との間の光の進行方向と直交する方向（Ｘ軸方向およびＹ軸方向）における、ＰＣＢ１１０に対するレンズブロック１２０の相対位置が固定される。これにより、光素子とレンズブロック１２０との間の光軸のズレを抑制しつつ、光素子とレンズブロック１２０との間の距離を調整することができる。
【００８１】
ただし、ガイドピン１２４，１２５およびガイド孔１１３，１１４に関する構成はこれに限らず、たとえば、ガイドピン１２４，１２５がＰＣＢ１１０に設けられ、ガイド孔１１３，１１４がレンズブロック１２０に設けられる構成としてもよい。この構成においても、光素子とレンズブロック１２０との間の光軸のズレを抑制しつつ、光素子とレンズブロック１２０との間の距離を調整することができる。
【００８２】
また、光コネクタ１３０は、レンズブロック１２０の側の端面から突出して先端がレンズブロック１２０に当たるピン１３２ａ，１３２ｂ（突起）を有する。また、光コネクタ１３０は、ピン１３２ａ，１３２ｂの突出量を調整することにより光コネクタ１３０とレンズブロック１２０との間の距離を変化させる調整ハンドル１３３ａ，１３３ｂ（調整部）と、を有する。これにより、レンズブロック１２０と光コネクタ１３０との間の距離を調整することができる。このため、光モジュール１００を使用する環境の屈折率に応じて、レンズブロック１２０と光コネクタ１３０との間の距離を調整し、光損失を低減することができる。また、製造時のバラツキによるレンズブロック１２０と光コネクタ１３０との間の距離のバラツキを補正することができる。
【００８３】
なお、上述した実施の形態においてＰＣＢ１１０にＰＤアレイ１１１およびＶＣＳＥＬアレイ１１２が設けられる構成について説明したが、ＰＣＢ１１０にＰＤアレイ１１１およびＶＣＳＥＬアレイ１１２の一方が設けられる構成としてもよい。また、ＰＣＢ１１０にＰＤアレイ１１１が設けられる構成について説明したが、ＰＣＢ１１０に単一のＰＤが設けられる構成としてもよい。また、ＰＣＢ１１０にＶＣＳＥＬアレイ１１２が設けられる構成について説明したが、ＰＣＢ１１０に単一のＬＤが設けられる構成としてもよい。
【００８４】
以上説明したように、光モジュールによれば、光素子とレンズブロックとの間の距離を調整することができる。
【００８５】
たとえば、従来、サーバやハイエンドコンピュータ等の分野では、マルチＣＰＵ化による性能の向上により、ＣＰＵと外部インターフェースとの通信をするＩ／Ｏ（光電）部の伝送容量が増大している。ＣＰＵはＣｅｎｔｒａｌ  Ｐｒｏｃｅｓｓｉｎｇ  Ｕｎｉｔ（中央処理装置）の略語である。たとえば、ボード上に光電変換素子を配置し、光電変換素子に光コネクタ（ＭＴ）を直結して、光による大容量高速伝送を実現している。
【００８６】
また、高密度実装や超高速化にともない、素子から発生する熱が問題となっている。その解決策として、光モジュールを液中に浸漬して冷却する方式があるが、光モジュールの光結合部において、液による屈折率の変動などにより光の伝送特性が変化するため、液浸化が困難であった。
【００８７】
これに対して、上述の実施の形態によれば、光モジュールの光伝送環境に応じて、光コネクタレンズ間距離だけでなく光素子レンズ間距離も調整することができる。たとえば、光モジュールを空気中および液中のいずれで使用するかに応じて光コネクタレンズ間距離および光素子レンズ間距離を調整し、光損失を抑制することができる。このため、同一の光モジュールにより、異なる複数の光伝送環境での使用が可能になる。
【００８８】
また、異なる複数の光伝送環境で使用しない場合においても、レンズブロックの実装バラツキや光コネクタの勘合バラツキ等による光コネクタレンズ間距離や光素子レンズ間距離のバラツキを補正することが可能になる。
【００８９】
上述した実施の形態に関し、さらに以下の付記を開示する。
【００９０】
（付記１）筐体と、
前記筐体の内側のうち前記筐体の第１面に固定され、受光素子および発光素子の少なくともいずれかを含む光素子が設けられた基板と、
前記筐体の内側に設けられ、光伝送路に接続された光コネクタと前記光素子とを光学的に結合するレンズブロックと、
前記筐体の前記第１面とは反対の第２面に設けられた孔と、前記レンズブロックに設けられた孔と、を通るように設けられ、回転すると前記第２面と前記レンズブロックとの間の距離を変化させる雄ネジと、
を備えることを特徴とする光モジュール。
【００９１】
（付記２）前記光素子は、前記受光素子を含み、
前記光コネクタは、前記光伝送路を通過した光を前記レンズブロックへ出射させ、
前記レンズブロックは、前記光コネクタから出射した光を前記受光素子に集光する、
ことを特徴とする付記１に記載の光モジュール。
【００９２】
（付記３）前記レンズブロックは、前記光コネクタから前記基板と平行な方向で出射した光を前記基板と直交する方向で前記受光素子へ出射させることを特徴とする付記２に記載の光モジュール。
【００９３】
（付記４）前記光素子は、前記発光素子を含み、
前記レンズブロックは、前記発光素子から出射した光を前記光コネクタに集光し、
前記光コネクタは、前記レンズブロックから出射した光を前記光伝送路へ出射させる、
ことを特徴とする付記１〜３のいずれか一つに記載の光モジュール。
【００９４】
（付記５）前記レンズブロックは、前記発光素子から前記基板と直交する方向で出射した光を前記基板と平行な方向で前記光コネクタに出射させることを特徴とする付記４に記載の光モジュール。
【００９５】
（付記６）前記筐体の前記第２面に設けられた孔と、前記レンズブロックに設けられた孔と、のうち一方は、内側に前記雄ネジと嵌まり合うネジ溝が形成されており、
前記筐体の前記第２面に設けられた孔と、前記レンズブロックに設けられた孔と、のうち他方は、内側に前記ネジ溝が形成されておらず、前記雄ネジの軸方向における前記雄ネジに対する相対位置が固定されている、
ことを特徴とする付記１〜４のいずれか一つに記載の光モジュール。
【００９６】
（付記７）前記筐体の前記第２面に設けられた孔と、前記レンズブロックに設けられた孔と、のうち他方は、前記雄ネジの軸方向における前記雄ネジに対する相対位置が、前記雄ネジに設けられた止め輪により固定されていることを特徴とする付記５に記載の光モジュール。
【００９７】
（付記８）前記レンズブロックおよび前記基板のうち一方に設けられたガイドピンと、前記レンズブロックおよび前記基板のうち他方に設けられ前記ガイドピンに対応する形状のガイド孔と、が嵌まり合うことにより、前記レンズブロックと前記光素子との間の光の進行方向と直交する方向における前記基板に対する前記レンズブロックの相対位置が固定されることを特徴とする付記１〜６のいずれか一つに記載の光モジュール。
【００９８】
（付記９）前記光コネクタは、前記光コネクタにおける前記レンズブロックの側の端面から突出して先端が前記レンズブロックに当たる突起と、前記突起の前記端面からの突出量を調整することにより前記光コネクタと前記レンズブロックとの間の距離を変化させる調整部と、を有することを特徴とする付記１〜７のいずれか一つに記載の光モジュール。
【符号の説明】
【００９９】
１００  光モジュール
１１０  ＰＣＢ
１１１  ＰＤアレイ
１１２  ＶＣＳＥＬアレイ
１１３，１１４  ガイド孔
１２０  レンズブロック
１２０ａ  空間
１２１  開口部
１２２ａ〜１２２ｄ  レンズ部アレイ
１２３ａ，１２３ｂ  反射部
１２４，１２５  ガイドピン
１２６  天井部
１２６ａ，１７１  貫通孔
１２７ａ，１２７ｂ  孔
１３０  光コネクタ
１３１ａ，１３１ｂ  光導波路アレイ
１３２ａ，１３２ｂ  ピン
１３３ａ，１３３ｂ  調整ハンドル
１４０  ファイバケーブル
１５０  ＭＴクリップ
１６０  下面側カバー
１７０  上面側カバー
１８０  細目ネジ
１８１，１８２  Ｅリング
７００  光学系モデル
７０１，１６０１  光コネクタレンズ間距離
７０２，１４０１  光素子レンズ間距離
１１００  ＱＳＦＰモジュール
１１１１  端子
１１１２  緩衝材
１１１３  モールド
１１１４  タグ
１２００  テーブル
１３１１，１３１２  調整目盛
１３２０  マーク
１５０１  液体
【図１】
2019197137.tif 000003
【図２】
2019197137.tif 000004
【図３】
2019197137.tif 000005
【図４】
2019197137.tif 000006
【図５】
2019197137.tif 000007
【図６】
2019197137.tif 000008
【図７】
2019197137.tif 000009
【図８】
2019197137.tif 000010
【図９】
2019197137.tif 000011
【図１０】
2019197137.tif 000012
【図１１】
2019197137.tif 000013
【図１２】
2019197137.tif 000014
【図１３】
2019197137.tif 000015
【図１４】
2019197137.tif 000016
【図１５】
2019197137.tif 000017
【図１６】
2019197137.tif 000018
【図１７】
2019197137.tif 000019
【図１８】
2019197137.tif 000020